(57)【要約】【課題】  普及型の傘に一切の改造を必要とせず、簡単に外付けにて取り付けることができ、傘全体の風に対する構造的強度も向上せしめた逆開き防止用の傘補強具を提供する。【解決手段】  使用状態の傘の傘面の略全体に沿う形状を備えた網体１１０と、網体１１０の縦糸１１１が延設されて形成された複数の紐体１２０を備え、傘の傘面を網体１１０で覆い、各々の紐体１２０の他端を利用者が把持することにより傘が風で逆開きになることを防止せしめる。網体１１０の形状が放射状の紐と同心円状の紐が組み合わされた曲面形状とする。紐体１２０の長さが、その端部が傘の握柄付近に到達する長さに調整されており、紐体１２０の他端の把持部１２１を手で集めて把持する。【選択図】  図１
2014028037.tif 000002
【特許請求の範囲】
【請求項１】
使用状態の傘の傘面の略全体に沿う形状を備えた網体と、
一端が前記網体の一部から延設された複数の紐体を備え、
前記傘の傘面を前記網体で覆い、各々の前記紐体の他端を利用者が把持することにより前記傘が風で逆開きになることを防止せしめることができる逆開き防止用の傘補強具。
【請求項２】
前記網体の形状が放射状の紐と同心円状の紐が組み合わされた曲面形状であり、
前記網体の略中心に輪体を備え、前記輪体を前記傘の石突きに通し入れて前記網体の中心が前記傘の傘面の中心から移動しないよう支持することができることを特徴とする請求項１に記載の逆開き防止用の傘補強具。
【請求項３】
前記網体から延設されている前記紐体の長さが、その他端の位置が前記傘の握柄付近に到達する長さに調整されたものであることを特徴とする請求項１または２に記載の逆開き防止用の傘補強具。
【請求項４】
前記紐体の他端において前記利用者が把持しやすい把持部が設けられており、前記利用者が各々の前記紐体の把持部を集めて前記握柄と併せて把持できるものとしたことを特徴とする請求項１乃至３のいずれか１項に記載の逆開き防止用の傘補強具。
【請求項５】
前記紐体がＮ本設けられ、前記網体を略Ｎ等分する角度に設けられていることを特徴とする請求項１乃至４のいずれか１項に記載の逆開き防止用の傘補強具。
【請求項６】
前記紐体がＮ−ｍ本設けられ、前記網体を略Ｎ等分する角度となるよう連続して設けられ、（ｍ＋１）＊３６０度／Ｎに相当する角度にわたり、前記紐体が設けられていない箇所を確保せしめ、前記利用者の少なくとも頭部が前記傘内に収まるように調整せしめたことを特徴とする請求項１乃至４のいずれか１項に記載の逆開き防止用の傘補強具。
【発明の詳細な説明】
【技術分野】
【０００１】
本発明は、強風が吹いても傘の逆開きを防止するための傘補強具に関する。特に、傘自体には何の特別な細工などを不要とし、傘に対して外付けにて簡単に取り付けが可能な傘補強具である。本発明の傘補強具は、傘であれば、雨傘や日傘などの用途、折りたたみ傘などの機能を選ばず、広く適用することができる。
【背景技術】
【０００２】
傘の基本構造は、周知のように、傘軸の先端部に固定された上ロクロと、この上ロクロにそれぞれの基端部がヒンジ連結されて放射状に可逆展開する多数本の親骨と、上ロクロの下方にて上記傘軸に移動自在に嵌挿された下ロクロと、この下ロクロに基端部がヒンジ連結されるとともに先端部が上記親骨の途中位置にヒンジ連結された支骨を有し、上記下ロクロの上下移動によって上記親骨を傘生地とともに可逆展開させる構造となっている。
【０００３】
従来からの傘の問題点として、傘が強風にあおられた際にいわゆるラッパ状に逆開きしてしまう問題が知られている。これは支骨の先端が親骨の基端寄りに支持されているため、親骨先端側の自由度が大きいためである。
しかし、支骨の長さをある程度長く確保し、支骨の先端を親骨の基端寄りに支持することは、傘の長さを傘軸と略同一程度に長く確保し、傘の使用勝手を向上させるためには必要な構造である。
そこで、従来から、強風による傘の逆開きを防止せしめる傘が工夫されてきた。それらの幾つかを紹介する。なお、それぞれの公知例の説明で挙げられる構成要素の符番は、それぞれの公知例の図で示されている番号である。
【０００４】
例えば、特許文献１（実公昭３２−７３５０号公報）に開示された洋傘補強装置は、図１０に示すように、上記一般的な傘の構造に対して特別な構造を改造して取り付けたものであり、回動自在の連結子４により連結された連結骨３を、傘軸１の上部付近の連結環５と傘骨６先端７の間に設けておき、傘軸１に対する傘骨６の先端７の距離を固定化し、それ以上自由に拡がらないように機械的に制限することにより、傘の傘骨６の上方向への移動、つまり、傘の逆開きを防止するものである。
【０００５】
また、例えば、特許文献２（実用新案登録第３１１３３３１号公報）に開示された絞り傘は、図１１に示すように、上記一般的な傘の構造に対して特別な構造を改造して取り付けたものであり、傘骨先方部分の傘周囲全体に紐１を配して、紐１を絞る事により傘骨同士の間の周回方向の距離を制限し、強風に対しても傘の構造強度を向上せしめ、傘の裏返しを防止するものである。
【０００６】
また、例えば、特許文献３（実用新案登録第３１０７１６６号公報）に開示された傘の逆開き破壊防止具は、図１２に示すように、上記一般的な傘の構造に対して特別な構造を改造して取り付けたものであり、傘の握柄部１３ａ若しくは支柱部に設けた引掛部材８ａと多数の傘骨の先端９とに紐材８の端部８ｂを引掛けて傘の逆開き破損を防止するものであり、引掛部材８ａを開閉可能な二つのアームプレート２で傘の握柄部１３ａ若しくは支柱部を挟持するように締め付けて装着する構成となっている。紐材８で握柄と傘骨先端の間の距離を固定し、強風に対しても傘骨が握柄から離れないようにして、傘の裏返しを防止するものである。
【０００７】
また、例えば、特許文献４（実用新案登録第３０９７１７６号公報）に開示された傘防御キットは、図１３に示すように、上記一般的な傘の構造に対して特別な構造を改造して取り付けたものであり、それぞれの傘の骨の先端２に装着したストッパー５と、芯の部分４（支柱）の中央部付近に装着する中央集結部７の間をそれぞれ紐６で連結する構成である。紐６で傘軸と傘骨先端の間の距離を固定し、強風に対しても傘骨が傘軸から離れないようにして、傘の裏返しを防止するものである。
【０００８】
【特許文献１】実公昭３２−７３５０号公報
【特許文献２】実用新案登録第３１１３３３１号公報
【特許文献３】実用新案登録第３１０７１６６号公報
【特許文献４】実用新案登録第３０９７１７６号公報
【発明の開示】
【発明が解決しようとする課題】
【０００９】
上記したように、様々に改造した施した公知技術の傘を用いれば、強風に対しても傘骨先端が上方へ曲がらないようにして傘の裏返しを防止することができるものである。
しかし、これら公知技術には、広く普及している従来構造の普及型の傘に対して外付けで適用するものではなく、新たに専用に製造された傘を別途購入するか、事前に普及型の傘に対して改造を施す必要があった。また、構造が複雑になり、コストが増加してしまうという問題があった。
【００１０】
例えば、特許文献１（実公昭３２−７３５０号公報）の場合、従来の普及型の傘に対して外付けにて適用することが難しく、新たに専用に製造された傘を別途購入する必要があった。図１０に示すように、バネなどの螺旋体２と連結環５を傘軸に仕込み、回動自在の連結子４により連結された連結骨３を、傘骨ごとに取り付ける必要があり、傘骨６の先端７に対しても治具が必要となる。このような作業を従来の普及型の傘に対して外付けにて適用することが難しいと言わざるを得ず、利用者には別途傘を購入するという負担をかける結果となる。図１０に見るように、構造が複雑であるため、コストが高いものになってしまうという問題がある。
【００１１】
次に、特許文献２（実用新案登録第３１１３３３１号公報）の場合、やはり、従来の普及型の傘に対して外付けにて適用することが難しく、新たに専用に製造された傘を別途購入する必要があった。図１１に示すように、傘の外周縁付近を周回する紐１を取り付けた構造となっているが、紐１により傘の径を調整するためには、１つ１つの傘骨を紐１で捉えつつ傘布に取り付ける必要がある。つまり、傘骨自体を紐が貫くための孔などが必要となり、また、傘布も紐１で捉える必要があるため、いわゆる巾着の絞り口のように、紐が傘布を周回する袋状の部材が必要である。このように、傘骨、傘布などの主要部材に大きな改造が必要であり、このような作業を従来の普及型の傘に対して外付けにて適用することが難しいと言わざるを得ず、利用者には別途傘を購入するという負担をかける結果となる。
【００１２】
次に、特許文献３（実用新案登録第３１０７１６６号公報）の場合、やはり、従来の普及型の傘に対して外付けにて適用することが難しく、新たに専用に製造された傘を別途購入する必要があった。図１２に示すように、まず、傘柄にアームプレートなるものを取り付ける必要があるが、傘柄は傘によってその形、大きさは多様であるため、各々の傘柄に合致するものを選択せねばならないし、様々な形状や径に対応するため、取り付け構造も複雑なものにならざるを得ない。また、傘骨の先端に引っ掛け金具を取り付けなければならないが、傘骨の先端に強固に紐やワイヤーを取り付けるのは難しく、同公報に述べられているように、単に傘骨の先端にキャップ９を被せて取り付けるものは、実際には傘が逆開きにあおられるような風圧の風が吹くと、単に細い傘骨の先端に被せたキャップ９は外れたりするおそれが高く、構造強度が十分とは言えない。もし、傘骨の先端に強固に引っ掛け金具を取り付けようとすると、傘骨の先端において専用の接続金具が一体化されて設けるなど専用の改造が必要となってしまう。このような作業を従来の普及型の傘に対して外付けにて適用することが難しいと言わざるを得ず、利用者には別途傘を購入するという負担をかける結果となる。図１２に見るように、アームプレートの構造も複雑であるため、コストが高いものになってしまうという問題は解決できない。
【００１３】
次に、特許文献４（実用新案登録第３０９７１７６号公報）の場合、やはり、従来の普及型の傘に対して外付けにて適用することが難しく、新たに専用に製造された傘を別途購入する必要があった。図１３に示すように、まず、傘軸に中央集結部７なるものを取り付ける必要があるが、傘軸によってその形、大きさは多様であるため、各々の傘柄に合致するものを選択せねばならないし、また、中央集結部７側にも紐６を強固に取り付けるための構造が必要となり、その取り付け構造も複雑なものにならざるを得ない。また、傘骨の先端２に紐６を強固に取り付けなければならないが、傘骨の先端２に強固に紐６を取り付けるのは難しく、同公報には、如何に傘骨の先端２に強固に紐６を取り付けるかについて特に開示されていない。単に傘骨の先端にキャップ状の構造物を被せて取り付けるものは、実際には傘が逆開きにあおられるような風圧の風が吹くと、単に細い傘骨の先端に被せたキャップ類は外れたりするおそれが高く、構造強度が十分とは言えない。もし、傘骨の先端２に強固に引っ掛け金具を取り付けようとすると、傘骨の先端において専用の接続金具が一体化されて設けるなど専用の改造が必要となってしまう。このような作業を従来の普及型の傘に対して外付けにて適用することが難しいと言わざるを得ず、利用者には別途傘を購入するという負担をかける結果となる。
【００１４】
上記に見るように、従来技術では、傘の逆開きを防止する様々な構造が提案されているものの、実際には、簡単な構造にて、従来の普及型の傘に対して外付けで適用できるものはなく、新たに専用に製造された傘を別途購入せざるを得ないものばかりであり、また、傘が逆開きにあおられるような強い風圧の風が吹くと、実際には耐えられない構造のものばかりであった。
【００１５】
上記問題点に鑑み、本発明は、従来の普及型の傘に一切の改造などを必要とせず、また、従来の普及型の傘に対して何らの接続部材の取り付けも不要のまま、簡単に外付けにて取り付けることができる上、傘全体の風に対する構造的強度も向上せしめることができる逆開き防止用の傘補強具を提供することを目的とする。
【課題を解決するための手段】
【００１６】
上記目的を達成するため、本発明の傘補強具は、使用状態の傘の傘面の略全体に沿う形状を備えた網体と、一端が前記網体の一部から延設された複数の紐体を備え、前記傘の傘面を前記網体で覆い、各々の前記紐体の他端を利用者が把持することにより前記傘が風で逆開きになることを防止せしめることができる逆開き防止用の傘補強具である。
いわゆる傘面全体に合致する形状に整えられている網体を傘の上面に被せ、網体の外周から垂下されている紐体を集めるようにして、利用者がたとえば指で持てば、簡単に傘全体を覆うように装着することができる。
【００１７】
なお、網体については、その形状が放射状の紐と同心円状の紐が組み合わされた曲面形状であり、網体の略中心に輪体を備えたものが好ましい。輪体を傘の石突きに通し入れて取り付けておけば、網体の中心が傘の傘面の中心から移動しないよう支持することができる。
【００１８】
また、紐体については、網体の縦糸が延設されるように設けられ、一端が網体の中心の輪体につながれ、他端の位置が傘の握柄付近に到達する長さに調整されたものであることが好ましい。
また、紐体の他端においては、利用者が把持しやすい把持部を設けておき、利用者が各々の紐体の把持部を集めて握柄と併せて把持できるものが好ましい。
【００１９】
上記構成の本発明の傘補強具によれば、従来の普及型の傘に対して、網体を被せて紐を手で持つのみで良く、特に、従来の普及型の傘に一切の改造などは不要であり、簡単に外付けにて取り付けることができる。さらに、網体と紐体により傘全体を包み込むこととなり、傘全体の風に対する構造的強度も向上せしめることができる。網体という素材の強度は説明するまでもなく、一度網体で覆われたものは容易には網体を破って脱することはできない。本発明の傘補強具を取り付けた場合、傘骨が逆開きになるためには網体を破るから、利用者が掴んでいる紐体が切れた場合であるが、いずれにしても大きな構造的強度が確保されていることは間違いない。
【００２０】
ここで、紐体の垂下の位置と、利用者の使用勝手を考えた工夫も施すことができる。
上記構成において、紐体がＮ本設けられている場合、網体を略Ｎ等分する角度に紐体を設けるように工夫を施す。
紐体の本数としては、３本、４本、５本、６本など適度な本数であれば良い。
紐体が３本であれば、網体を略３等分した１２０度ずつ開いた角度で設ければよい。
紐体が４本であれば、網体を略４等分した９０度ずつ開いた角度で設ければよい。
紐体が５本であれば、網体を略５等分した７２度ずつ開いた角度で設ければよい。
紐体が６本であれば、網体を略６等分した６０度ずつ開いた角度で設ければよい。
紐体が８本であれば、網体を略８等分した４５度ずつ開いた角度で設けられることとなる。
【００２１】
なお、紐体の本数が多くなりすぎると、利用者が傘内に入る際に邪魔になることもあり得る。そこで、利用者の体が傘内に収まりやすいようにスペースを確保する工夫もある。
それは、紐体をＮ−ｍ本としてｍ本減らし、網体を略Ｎ等分する角度となるよう連続して紐体１２０を設け、ｍ本減らした箇所として、（ｍ＋１）＊３６０度／Ｎに相当する角度にわたり紐体が設けられていない箇所を確保せしめる工夫である。この紐体が設けられていない箇所を確保することにより、利用者の少なくとも頭部が傘内に収まるように調整することができ、利用者が通常の傘を使用するような使い勝手にて傘を使用することができる。例えば、Ｎを８、ｍを１とすると、紐体が７本あり、それぞれ網体を略８等分するように４５度ずつ開いた角度で設けられているが、１ヶ所のみ紐体１２０が設けられずに空いており、その結果、紐体の間が９０度空いている箇所が確保される。
【発明の効果】
【００２２】
本発明の傘補強具によれば、従来の普及型の傘に対して、網体を被せて紐を手で持つのみで良く、特に、従来の普及型の傘に一切の改造などは不要であり、簡単に外付けにて取り付けることができる。さらに、網体と紐体により傘全体を包み込むこととなり、傘全体の風に対する構造的強度も向上せしめることができる。
【発明を実施するための最良の形態】
【００２３】
以下、図面を参照しつつ、本発明の傘補強具の実施例を説明する。ただし、本発明の範囲は以下の実施例に示した具体的な用途、形状、個数などには限定されないことは言うまでもない。
【実施例１】
【００２４】
図１は、本実施例１に示す傘補強具１００の構成を模式的に示した構成図である。
本実施例１に示す本発明の傘補強具１００は、網体１１０と、紐体１２０を備えた構成となっている。
【００２５】
本発明の傘補強具１００の各構成を説明する。
網体１１０は、使用状態の傘の傘面の略全体に沿う形状を備えており、傘の上面に沿う曲面となっている。
図１に示す構成では、網体１１０は、放射状の縦糸１１１と、縦糸１１１間を周回するように横糸１１２が組み合わされた曲面形状となっている。曲面は傘２００の傘面上面に沿うような曲面形状をなしている。なお、傘骨２２０は傘軸２１０を中心に放射状に拡がっているため、放射状の縦糸１１１と同心円状の横糸１１２とを設けていわゆる蜘蛛の巣状に編むことは理にかなったものと言える。
【００２６】
なお、この構成例では、網体１１０の略中心には輪体１１３が設けられた構成となっている。この輪体１１３を傘の石突２５０に通し入れることにより、網体１１０の中心が傘２００の傘面の中心に固定することができ、傘２００の傘面に対して網体１１０を安定した状態で覆うように取り付けることができる。
【００２７】
紐体１２０は、傘の傘面を覆う網体１１０を複数の方向から周囲方向および下方向へ引っ張り、網体１１０が傘２００の傘面から外れないようにするとともに、傘２００の傘面全体を下向きに保つ力を与える。
紐体１２０は、網体１１０の放射状の縦糸１１１のうちの数本がそのまま長く外周方向へ延設されたものであっても良い。
図１の構成例では、紐体１２０は４本設けられた例であり、網体１１０の８本の縦糸１１１のうち、４本の長さが長く延設されたものとなっている。
【００２８】
ここで、網体から延設されている紐体１２０の長さは、後述する図３に示すように、その他端の位置が傘の握柄２４０付近に到達する長さに調整されているものとする。そのため、利用者は紐体１２０の他端を握柄２４０付近に集めることができる。
【００２９】
図１の構成例では、紐体１２０の他端を持ちやすいように、紐体１２０の他端において利用者が把持しやすい把持部１２１が設けられている。例えば、この例では、指がかかりやすい輪体となっている。この輪体の把持部１２１に指などを通すことにより簡単に複数の紐体１２０を集めて持つことができる。指にかかっているので容易に把持部１２１を離してしまうこともない。
【００３０】
図２および図３は、本発明の傘補強具１００を、普及型の傘２００に装着した様子を示している。
図２（ａ）および図３（ａ）は本発明の傘補強具１００装着前の傘２００の構造を簡単に示しており、傘軸２１０、傘骨２２０、傘布２３０、握柄２４０、石突２５０を備えた構成として示している。実際には傘軸２１０を上下動可能に取り付けられて傘骨２２０を開閉するろくろなどの構造があるが図示を省略している。
図２（ｂ）および図３（ｂ）は、本発明の傘補強具１００を装着した傘２００の様子を簡単に示している。
【００３１】
図２（ｂ）に示すように、本発明の傘補強具１００の網体１１０は、傘２００の傘面に沿うような大きさと曲面形状に調整されているため、傘２００の傘面の上面において合致し、収まり良く取り付けることができる。さらに、中央の輪体１１３が石突２５０に嵌まり込むため、網体１１０の中心が傘２００の傘面中心の石突２５０に固定されるため、網体１１０の姿勢が安定する。
【００３２】
さらに、図３（ｂ）に示すように、網体１１０の縦糸１１１から紐体１２０が延設され、その端部にある把持部１２１が握柄２４０付近に集められ、網体１１０全体が下方向に引っ張られることとなる。紐体１２０は略均等な角度で設けられており網体１１０は下方向への均等に引っ張られるため、網体１１０が一方に偏ることがない。
【００３３】
なお、ここで、本実施例１の構成では、本発明の傘補強具１００の網体１１０、紐体１２０とも、特に傘２００の傘骨２２０とは何らの連結もすることなく取り付けられている。このように、本発明の傘補強具１００は極めて簡単に汎用型の傘２００に対して外付けできることが分かる。従来の公知例として紹介したものは傘骨の先端と何らかの紐やワイヤーと連結するなどの特別な作業が必要であったが、本発明の傘補強具１００では、そのような傘骨との接続という作業が一切不要である。
【００３４】
次に、紐体１２０の設ける数や配置の工夫について説明する。
紐体１２０は複数本あるが、少ない本数でも網体１１０を傘２００の傘面に安定して取り付け、網体１１０を均等に下方向に引っ張るため、その本数や配置について工夫するのである。
図１から図３の構成例は紐体１２０が４本設けられた例であった。図２（ｂ）に示すように、４つの紐体１２０が均等の角度である略９０度をもって配置されている。
【００３５】
図４は、紐体１２０が６本設けられた例である。図４に示すように、紐体１２０が６本であれば６０度ずつ開いた角度で設ければよい。
図５は紐体１２０が６本設けられた場合の雨傘補強具１００を普及型の傘２００の上面に取り付けた様子を示す図である。
図６は、紐体１２０が８本設けられた例である。図６に示すように、紐体１２０が８本であれば４５度ずつ開いた角度で設ければよい。
図７は紐体１２０が８本設けられた場合の雨傘補強具１００を普及型の傘２００の上面に取り付けた様子を示す図である。
これを一般化すると、紐体１２０がＮ本設けられている場合に、網体１１０を略Ｎ等分する角度に紐体１２０を設けることにより、網体１１０を下方向に引く位置が円周上に均等に配置されている構成と言える。バランス良く網体１１０を引っ張ることができ、上下左右いずれの方向に対しても均等に力がかかっている。
ここで、利用者の体を入れる方向について考える。
まず、図３に示した例では、網体１１０の８本の縦糸１１１のうちの４本が延設されて紐体１２０が設けられたものとなっており、４本の紐体１２０はそれぞれ外周端から垂下され、握柄２４０付近に集められている。図３の取り付け状態において、紐体１２０間は略９０度の角度が空いており、利用者はいずれの隙間からも体を入れることができ、傘２００内に入ることができる。
次に、図５に示した例では、６本の紐体１２０が網体１１０の６本の縦糸１１１から延設されたものとなっており、６本の紐体１２０はそれぞれ外周端から垂下され、握柄２４０付近に集められている。図５の取り付け状態において、紐体１２０間は略６０度の角度が空いており、利用者はいずれの隙間からも体を入れることができ、傘２００内に入ることができる。
次に、図７に示した例では、８本の紐体１２０が網体１１０の８本の縦糸１１１から延設されたものとなっており、８本の紐体１２０はそれぞれ外周端から垂下され、握柄２４０付近に集められている。図７の取り付け状態において、紐体１２０間は略４５度の角度が空いている。しかし、紐体１２０の本数が増えるにつれて、体の入る隙間が狭くなってしまい、紐体１２０が利用者の頭や肩に当たり、利用者が傘軸２１０に体を入れることができずに傘２００を利用しにくくなってしまう。
【００３６】
図８は、紐体１２０の本数が多い構成において、利用者の使い勝手を工夫した例である。紐体１２０の本数が多いほど、円周上に配置される位置が増えてバランス良く網体１１０を下方に均等に引っ張ることができるが、図４および図６のように紐体１２０の配置を単に円周上に均等に設けて行く方式であれば、紐体１２０の本数が増えるにつれて、紐体１２０の隙間が狭くなってしまい、紐体１２０が利用者の頭や肩に当たり、利用者が傘軸２１０に体を入れることができずに傘２００を利用しにくくなってしまう。
そこで、利用者が傘２００を使いやすいように、一部の範囲には紐体１２０を配置せず、紐体１２０が設けられていない部分を確保せしめ、利用者の体が傘２００内に収まりやすいように工夫することができる。
【００３７】
図８の例では、紐体１２０が７本設けられた例となっている。図８に示すように、紐体１２０が互いに４５度をもって網体１１０に配置されているが、１ヶ所のみ紐体１２０が設けられずに空いており９０度の角度となっている。
これを一般化すると、紐体１２０がＮ−ｍ本設けられており、それぞれ網体１１０を略Ｎ等分する角度となるよう連続して設けられているが、（ｍ＋１）＊３６０度／Ｎに相当する角度にわたり、紐体が設けられていない箇所を確保せしめた構造となっている。ここで、Ｎ＝８、ｍ＝１とすると、上記のように、１ヶ所のみ紐体１２０が設けられずに９０度空いており箇所が形成される。
図８に図示した方向（利用者が体を入れる方向）には利用者が体を収めやすく使い勝手が向上する。
【００３８】
次に、本発明の傘補強具１００の使用手順について簡単に説明しておく。
まず、利用者は雨風が強いと判断した場合、本発明の傘補強具１００を取り出す。本発明の傘補強具１００は網体１１０と紐体１２０のみで構成されているため、小さく折り畳んだり丸めたりすることができ、きわめて小さな形に収納できる。例えば小さな収納袋などに収納しておけば携行には邪魔にならない形とすることができる。
【００３９】
次に、開いた傘２００の石突２５０に対して、網体１１０の網体１１０の中心の輪体１１３を通し入れる。
次に、開いた傘２００の傘面上に網体１１０を適度に拡げて載せ置く。この状態ではそれぞれの紐体１２０は網体１１０の縦糸１１１となる部分は傘の上面にあるが、延設された部分は傘面から垂下された状態となっている。
次に、それぞれ垂下されている紐体１２０の先端の把持部１２１を手で集めて指に掛け、握柄２４０とともに紐体１２０の把持部１２１を持つ。
これで取り付け完了である。
【００４０】
本発明の傘補強具１００は、きわめて簡単に傘２００に対して外付けすることができる。
図９は、本発明の傘補強具１００を外付けにて取り付けた傘２００を利用者が使用している様子を簡単に示す図である。利用者の少なくとも頭部が傘２００内に収まって使用することができる。
【００４１】
以上、本発明の好ましい実施形態を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００４２】
本発明の傘補強具は、従来の普及型の傘に広く適用することができる。例えば、雨傘、日傘などの種類を問わず適用でき、また、折り畳み傘であっても適用することができる。
【図面の簡単な説明】
【００４３】
【図１】本実施例１にかかる傘補強具１００の構成を模式的に示した構成図である。
【図２】本実施例１にかかる傘補強具１００を普及型の傘２００に装着した様子を示す図（その１）である。
【図３】本実施例１にかかる傘補強具１００を普及型の傘２００に装着した様子を示す図（その２）である。
【図４】網体１１０において６本の紐体１２０を略均等の角度ごとに設ける例を示す図である。
【図５】６本の紐体１２０を設けた構成例の傘補強具１００を普及型の傘２００に装着した様子を示す図である。
【図６】網体１１０において８本の紐体１２０を略均等の角度ごとに設ける例を示す図である。
【図７】８本の紐体１２０を設けた構成例の傘補強具１００を普及型の傘２００に装着した様子を示す図である。
【図８】網体１１０において紐体１２０を７本設け、１ヶ所のみ紐体１２０を設けずに空けた構成を示す図である。
【図９】本発明の傘補強具１００を外付けにて取り付けた傘２００を利用者が使用している様子を簡単に示す図である。
【図１０】従来技術に開示された洋傘補強装置の構成例（実公昭３２−７３５０号公報）を示す図である。
【図１１】従来技術に開示された絞り傘の構成例（実用新案登録第３１１３３３１号公報）を示す図である。
【図１２】従来技術に開示された逆開き破壊防止具の構成例（実用新案登録第３１０７１６６号公報）を示す図である。
【図１３】従来技術に開示された傘防御キットの構成例（実用新案登録第３０９７１７６号公報）を示す図である。
【符号の説明】
【００４４】
１００  傘補強具
１１０  網体
１１１  放射状の紐
１１２  同心円状の紐
１１３  輪体
１２０  紐体
１２１  把持部
２００  傘
２１０  傘軸
２２０  傘骨
２３０  傘布
２４０  握柄
２５０  石突
【図１】
2014028037.tif 000003
【図２】
2014028037.tif 000004
【図３】
2014028037.tif 000005
【図４】
2014028037.tif 000006
【図５】
2014028037.tif 000007
【図６】
2014028037.tif 000008
【図７】
2014028037.tif 000009
【図８】
2014028037.tif 000010
【図９】
2014028037.tif 000011
【図１０】
2014028037.tif 000012
【図１１】
2014028037.tif 000013
【図１２】
2014028037.tif 000014
【図１３】
2014028037.tif 000015